(57)【特許請求の範囲】
【請求項１】
第１の周波数帯で共振する螺旋状の第１のアンテナと、
上記第１のアンテナの内部を螺旋の中心軸方向に沿つて摺動し、かつ第２の周波数帯で共振する線状の第２のアンテナと、
上記第２のアンテナの上端に接続され、かつ上記第２の周波数帯で共振する螺旋状の第３のアンテナと、
上記第１のアンテナの下端に接続された給電点に対して、第１の周波数帯で動作する第１の送受信部又は第２の周波数帯で動作する第２の送受信部を切換接続する切換接続部と
を有し、
上記給電点に上記第１の送受信部が接続されたときには上記第１のアンテナがアンテナとして作動し、
上記給電点に上記第２の送受信部が接続された状態において、上記第２のアンテナの引出時には上記第２のアンテナ及び上記第３のアンテナが１つのアンテナとして作動し、上記第２のアンテナの収納時には上記第３のアンテナがアンテナとして作動する
ことを特徴とするアンテナ装置。
【請求項２】
グランドに接続され、上記第２のアンテナが収納された当該第２のアンテナの下端を挟持する挟持部も有し、
上記給電点に上記第２の送受信部が接続された状態において、上記第２のアンテナの収納時には上記第３のアンテナがアンテナとして作動すると共に、上記第２のアンテナが短絡される
ことを特徴とする請求項１に記載のアンテナ装置。
【請求項３】
第１の周波数帯で共振する螺旋状の第１のアンテナと、
上記第１のアンテナの上方に配置され、かつ第２の周波数帯で共振する螺旋状の第２のアンテナと、
上記第１及び第２のアンテナの内部を螺旋の中心軸方向に沿つて摺動し、かつ上記第２の周波数帯で共振する線状の第３のアンテナと、
上記第１のアンテナの下端に接続された給電点に対して、第１の周波数帯で動作する第１の送受信部又は第２の周波数帯で動作する第２の送受信部を切換接続する切換接続部と
を有し、
上記給電点に上記第１の送受信部が接続されたときには上記第１のアンテナがアンテナとして作動し、
上記給電点に上記第２の送受信部が接続された状態において、上記第３のアンテナの収納時には上記第２のアンテナがアンテナとして作動し、上記第３のアンテナの引出時には上記第２のアンテナ及び上記第３のアンテナが１つのアンテナとして作動する
ことを特徴とするアンテナ装置。
【請求項４】
上記給電点には第２のアンテナの下端も接続され、
上記給電点に上記第２の送受信部が接続された状態において、上記第３のアンテナの引出時には当該第３のアンテナも上記給電点に接続されることにより上記第２のアンテナ及び上記第３のアンテナが１つのアンテナとして作動する
ことを特徴とする請求項３に記載のアンテナ装置。
【請求項５】
上記第２のアンテナは、
上記第３のアンテナに設けられた導電性の接続部材によつてアンテナ動作が制御される
ことを特徴とする請求項３に記載のアンテナ装置。
【請求項６】
上記第２のアンテナは上記給電点に対して電気的に分離されており、
上記給電点に上記第２の送受信部が接続された状態において、上記第３のアンテナの収納時には、上記接続部材によつて上記第２のアンテナが上記給電点に対して電気的に接続されることにより当該第２のアンテナがアンテナとして作動し、
上記第３のアンテナの引出時には、上記接続部材がアンテナ引き出しに伴つて上方に移動することによつて上記第２のアンテナが上記給電点に対して電気的に分離されると共に、上記第３のアンテナの下端が上記給電点に対して電気的に接続されることにより上記第３のアンテナがアンテナとして作動する
ことを特徴とする請求項５に記載のアンテナ装置。
【請求項７】
上記給電点には第２のアンテナの下端も接続され、
上記給電点に上記第２の送受信部が接続された状態において、上記第３のアンテナの収納時には、上記第２のアンテナがアンテナとして作動し、上記第３のアンテナの引出時には、上記第２のアンテナの上下端が上記接続部材によつて短絡されると共に、上記第３のアンテナの下端が上記給電点に対して電気的に接続されることにより上記第３のアンテナがアンテナとして作動する
ことを特徴とする請求項５に記載のアンテナ装置。
【請求項８】
第１の周波数帯で共振する螺旋状の第１のアンテナと、
上記第１のアンテナの内部を螺旋の中心軸方向に沿つて摺動し、かつ第２の周波数帯で共振する線状の第２のアンテナと、
上記第２のアンテナの上端に接続され、かつ上記第２の周波数帯で共振する螺旋状の第３のアンテナと、
上記第１のアンテナの下端に接続された給電点に対して、第１の周波数帯で動作する第１の送受信部又は第２の周波数帯で動作する第２の送受信部を切換接続する切換接続部と
を有し、
上記給電点に上記第１の送受信部が接続されたときには上記第１のアンテナがアンテナとして作動し、
上記給電点に上記第２の送受信部が接続された状態において、上記第２のアンテナの引出時には上記第２のアンテナ及び上記第３のアンテナが１つのアンテナとして作動し、上記第２のアンテナの収納時には上記第３のアンテナがアンテナとして作動する
具えることを特徴とする携帯無線機。
【請求項９】
第１の周波数帯で共振する螺旋状の第１のアンテナと、
上記第１のアンテナの上方に配置され、かつ第２の周波数帯で共振する螺旋状の第２のアンテナと、
上記第１及び第２のアンテナの内部を螺旋の中心軸方向に沿つて摺動し、かつ上記第２の周波数帯で共振する線状の第３のアンテナと、
上記第１のアンテナの下端に接続された給電点に対して、第１の周波数帯で動作する第１の送受信部又は第２の周波数帯で動作する第２の送受信部を切換接続する切換接続部と
を有し、
上記給電点に上記第１の送受信部が接続されたときには上記第１のアンテナがアンテナとして作動し、
上記給電点に上記第２の送受信部が接続された状態において、上記第３のアンテナの収納時には上記第２のアンテナがアンテナとして作動し、上記第３のアンテナの引出時には上記第２のアンテナ及び上記第３のアンテナが１つのアンテナとして作動する
具えることを特徴とする携帯無線機。
【発明の詳細な説明】
【０００１】
【目次】
以下の順序で本発明を説明する。
発明の属する技術分野
従来の技術
発明が解決しようとする課題
課題を解決するための手段
発明の実施の形態
（１）第１実施例（図１及び図２）
（２）第２実施例（図３及び図４）
（３）第３実施例（図５及び図６）
（４）第４実施例（図７及び図８）
（５）第５実施例（図９及び図１０）
（６）他の実施例（図１１）
発明の効果
【０００２】
【発明の属する技術分野】
本発明はアンテナ装置及び携帯無線機に関し、特に小型携帯無線機に適用して好適なものである。
【０００３】
【従来の技術】
近年、携帯性を向上させるため携帯無線機の小型、軽量化が進んでいる。これに伴いアンテナ装置も小型化であることが求められている。そこで携帯時には本体に収納し得、通話時には本体から引き出して使用し得る方式のホイツプアンテナが盛んに開発されている。
このようなホイツプアンテナを携帯無線機に使用することにより、携帯時にはアンテナの破損を防止できると共に、携帯に便利な形状にでき、また通話時にはアンテナの長さを大きく取つて人体、特に頭部による電波遮断の影響を抑制し、通話品質を向上することができる。
【０００４】
ところで初期の携帯無線機には比較的単純な形式のホイツプアンテナが用いられていた。ところがこの形式のホイツプアンテナには次のような欠点があつた。すなわちアンテナを本体から引き出した状態で使用する場合にはモノポールアンテナとして作動するが、アンテナを本体に収納した場合には十分な利得を得ることができないという欠点があつた。これは本体に収納されたアンテナが回路基板やシールドケースの近傍に位置するためグランド近傍に配置された状態になり、その結果入力インピーダンスが上昇してほとんど整合がとれなくなるからである。
【０００５】
そこで収納時における利得を向上するため、線状アンテナの上端部分にヘリカルアンテナを電気的に接続した形式のホイツプアンテナ、いわゆるトツプローデイングタイプのホイツプアンテナが用いられるようになつた。この形式のホイツプアンテナを本体から引き出して使用すればヘリカルアンテナと線状アンテナがアンテナとして作動し、アンテナを本体に収納しても主に上端部分のヘリカルアンテナがアンテナとして作動し、これによつてアンテナ収納時にも良好なアンテナ特性を得ることができるようになつた。
【０００６】
【発明が解決しようとする課題】
ところでかかる構成のアンテナ装置においては、所定周波数帯で共振するように形成されているためその周波数帯に限つて使用し得るようになされている。このため携帯無線機の使用周波数帯が複数ある場合には対応しきれないといつた不都合がある。
実際上、近年においては、利用者数増加に伴つて使用周波数帯が２つある携帯無線機や利便性向上のために周波数帯及び通信方式が異なる２つの通信システムを利用し得るようになされた携帯無線機が提案されており、このような携帯無線機の場合には、それぞれの周波数帯で共振し得るようになされた２種類のアンテナ装置を搭載しなければならず、当該携帯無線機の小型、軽量化の妨げになると共に、使い勝手を劣化させる要因となつている。
【０００７】
本発明は以上の点を考慮してなされたもので、簡易な構成で２つの周波数帯で利用し得るアンテナ装置及び携帯無線機を提案しようとするものである。
【０００８】
【課題を解決するための手段】
かかる課題を解決するため本発明においては、第１の周波数帯で共振する螺旋状の第１のアンテナと、第１のアンテナの内部を螺旋の中心軸方向に沿つて摺動し、かつ第２の周波数帯で共振する線状の第２のアンテナと、第２のアンテナの上端に接続され、かつ第２の周波数帯で共振する螺旋状の第３のアンテナと、第１のアンテナの下端に接続された給電点に対して、第１の周波数帯で動作する第１の送受信部又は第２の周波数帯で動作する第２の送受信部を切換接続する切換接続部とをアンテナ装置に設け、給電点に第１の送受信部が接続されたときには第１のアンテナがアンテナとして作動し、給電点に第２の送受信部が接続された状態において、第２のアンテナの引出時には第２のアンテナ及び第３のアンテナが１つのアンテナとして作動し、第２のアンテナの収納時には第３のアンテナがアンテナとして作動するようにした。
【０００９】
このようにして第１の周波数帯では第１のアンテナがアンテナとして作動するようにすると共に、第２の周波数帯では第２のアンテナ及び又は第３のアンテナがアンテナとして作動するようにしたことにより、それぞれの周波数帯だけで動作するアンテナ装置を別々に設けなくても第１及び第２の周波数帯の電気信号を扱える。
【００１０】
また本発明においては、第１の周波数帯で共振する螺旋状の第１のアンテナと、上記第１のアンテナの上方に配置され、かつ第２の周波数帯で共振する螺旋状の第２のアンテナと、上記第１及び第２のアンテナの内部を螺旋の中心軸方向に沿つて摺動し、かつ上記第２の周波数帯で共振する線状の第３のアンテナと、第１のアンテナの下端に接続された給電点に対して、第１の周波数帯で動作する第１の送受信部又は第２の周波数帯で動作する第２の送受信部を切換接続する切換接続部とをアンテナ装置に設け、給電点に第１の送受信部が接続されたときには第１のアンテナがアンテナとして作動し、給電点に第２の送受信部が接続された状態において、第３のアンテナの収納時には第２のアンテナがアンテナとして作動し、第３のアンテナの引出時には第２のアンテナ及び第３のアンテナが１つのアンテナとして作動するようにした。
【００１１】
このようにして第１の周波数帯では第１のアンテナがアンテナとして作動するようにすると共に、第２の周波数帯では第２のアンテナ及び又は第３のアンテナがアンテナとして作動するようにしたことにより、それぞれの周波数帯だけで動作するアンテナ装置を別々に設けなくても第１及び第２の周波数帯の電気信号を扱える。
【００１２】
【発明の実施の形態】
以下図面について、本発明の一実施例を詳述する。
【００１３】
（１）第１実施例
図１及び図２において、１は全体として第１実施例によるアンテナ装置を示し、周波数帯の異なる２つの通信システムを利用し得るようになされた携帯無線機２に搭載され、異なる２つの周波数帯で作動し得るようになされている。因みに、図１はアンテナ収納状態を示し、図２はアンテナ引出状態を示している。但し、図１及び図２においては携帯無線機２の全体図は省略し、アンテナ装置１の近傍部分のみを示す。
【００１４】
この実施例の場合、アンテナ装置１は導体を螺旋状に形成した２つの螺旋状アンテナ３、４と導体を直線状に形成した１つの線状アンテナ５の３つのアンテナ部分によつて構成されており、第１の周波数帯（例えばＰＨＳ（Personal Handyphone System）の 1.9〔GHz 〕帯）では螺旋状アンテナ３が共振してアンテナとして作動し、第２の周波数帯（例えばＰＤＣ（Personal Digital Cellular ）の 800〔MHz 〕帯）では螺旋状アンテナ４及び又は線状アンテナ５が共振してアンテナとして作動するようになされている。なお、第２の周波数帯ではアンテナ収納時に主に螺旋状アンテナ４がアンテナとして作動し、アンテナ引出時に螺旋状アンテナ４と線状アンテナ５の２つが１つの複合アンテナとして作動するようになされている。
【００１５】
この点について各部の構成を説明しながら以下に具体的に説明する。まずアンテナ装置１は携帯無線機２の筐体６に組み込まれた金属製のアンテナ取付金具７に金属製のアンテナ支持金具８をねじ込むことによつて当該筐体６に取り付けられている。
螺旋状アンテナ３はこのアンテナ支持金具８の上方に配置され、当該アンテナ支持金具８に対して下端にて電気的かつ機械的に接続されるようにねじ込み又はかしめを使用して取り付けられており、これにより螺旋状アンテナ３の下端はアンテナ支持金具８、アンテナ取付金具７を順に介して金属製の給電バネ９に電気的に常時接続されるようになされている。また螺旋状アンテナ３の周囲及び上端部（但し、線状アンテナ５の出入り口付近は除く）は非導電性のアンテナカバー１０によつて被覆されており、これにより当該螺旋状アンテナ３が直接人体に触れないようになされている。因みに、このアンテナカバー１０は外部から加えられた力によつて螺旋状アンテナ３が変形しないように当該螺旋状アンテナ３を保護する役割もある。
【００１６】
線状アンテナ５は螺旋状アンテナ３の内部を螺旋の中心軸方向（図中矢印ａで示す）に沿つて摺動し得るようになされており、これにより当該線状アンテナ５を引き出し及び収納し得るようになされている。また線状アンテナ５の周囲は非導電性のアンテナカバー１１によつて被覆されており、引出時に当該線状アンテナ５が直接人体に触れないようになされている。因みに、このアンテナカバー１１は引出時に外部から加えられた力によつて線状アンテナ５が変形しないように当該線状アンテナ５を保護する役割もある。
【００１７】
螺旋状アンテナ４は線状アンテナ５の上方に配置され、金属製のアンテナ接続金具１２に対して下端にて電気的かつ機械的に接続されるようにねじ込み又はかしめを使用して取り付けられている。このアンテナ接続金具１２は線状アンテナ５の上端に対して電気的かつ機械的に接続されるようにねじ込み又はかしめを使用して取り付けられている。これにより螺旋状アンテナ４は線状アンテナ５の上端にアンテナ接続金具１２を介して接続された構造を有し、このため線状アンテナ５の摺動に伴つて当該線状アンテナ５の上方を同じく螺旋の中心軸方向（図中矢印ａで示す）に沿つて摺動する。また螺旋状アンテナ４の周囲及び上端部は非導電性のアンテナカバー１３によつて被覆されており、当該螺旋状アンテナ４が直接人体に触れないようになされている。
因みに、このアンテナカバー１３は外部から加えられた力によつて螺旋状アンテナ４が変形しないように当該螺旋状アンテナ４を保護する役割もある。またこのアンテナカバー１３は線状アンテナ５を引き出す際のつまみとしても機能している。
【００１８】
ところで線状アンテナ５の下端部には断面ほぼ凸字状に形成された金属製の引出時ストツパ１４がねじ込み又はかしめによつて電気的かつ機械的に接続されるように取り付けられている。この引出時ストツパ１４は、線状アンテナ５を引き出したときに径の太い下端部がアンテナ支持金具８の下端部に当接することにより、当該線状アンテナ５が引き抜けることを防止するようになされている。またこの引出時ストツパ１４は線状アンテナ５を引き出したときにアンテナ支持金具８によつて挟持され、これによりアンテナ支持金具８、アンテナ取付金具７を順に介して当該線状アンテナ５の下端を給電バネ９に対して電気的に接続するようになされている。
【００１９】
また線状アンテナ５の先端に取り付けられたアンテナ接続金具１２は、線状アンテナ５を収納したときに径の太い上端部が螺旋状アンテナ４のアンテナカバー１３と共に螺旋状アンテナ３のアンテナカバー１０の上端部に当接し、これによつて当該線状アンテナ５が携帯無線機２内部に落下することを防止するようになされている。またこのアンテナ接続金具１２は線状アンテナ５を収納したときにアンテナ支持金具８によつて挟持され、これによりアンテナ支持金具８、アンテナ取付金具７を順に介して螺旋状アンテナ４の下端を給電バネ９に対して電気的に接続するようになされている。またこのアンテナ接続金具１２は線状アンテナ５を引き出したときにも当該線状アンテナ５、引出時ストツパ１４、アンテナ支持金具８、アンテナ取付金具７を順に介して螺旋状アンテナ４の下端を給電バネ９に対して電気的に接続するようになされている。
【００２０】
一方、携帯無線機２の筐体６は非金属製材料で構成されており、その内部には無線機として必要な各種回路が実装された回路基板１５が収納されている。この携帯無線機２のように周波数帯の異なる２つの通信システムを利用し得るようにした場合、それぞれの周波数帯に対応した各種回路が必要となる。このため回路基板１５にはそれぞれの周波数帯で動作する送受信部１６、１７が設けられており、アンテナ装置１によつて受信されたそれぞれの周波数帯の電気信号を対応する送受信部１６、１７に入力し得ると共に、それぞれの送受信部１６、１７から出力された電気信号をアンテナ装置１に供給し得るようになされている。
【００２１】
まずアンテナ装置１の給電部を形成する給電バネ９の一端は切換スイツチ１８に接続されており、当該切換スイツチ１８を切り換えることによつてアンテナ装置１を送受信部１６又は１７に接続し得るようになされている。第１の周波数帯の送受信部１６はアンテナ装置１の入力インピーダンスと送受信部１６の回路インピーダンスとを整合させる整合回路１６Ａと、第１の周波数帯以外の信号成分を除去するバンドパスフイルタ１６Ｂと、第１の周波数帯の電気信号を処理する送受信回路１６Ｃとによつて構成されており、切換スイツチ１８によつてアンテナ装置１を送受信部１６に接続した場合には、アンテナ装置１で受信された第１の周波数帯の電気信号は給電バネ９、切換スイツチ１８、整合回路１６Ａを通つてバンドパスフイルタ１６Ｂに入力され、ここで第１の周波数帯以外の信号成分が除去された後、送受信回路１６Ｃに入力されて処理される。これとは逆に送受信回路１６Ｃから出力された第１の周波数帯の電気信号は同じくバンドパスフイルタ１６Ｂで不要成分が除去された後、整合回路１６Ａ、切換スイツチ１８、給電バネ９を介してアンテナ装置１に供給される。
【００２２】
一方、第２の周波数帯の送受信部１７もアンテナ装置１の入力インピーダンスと送受信部１７の回路インピーダンスとを整合させる整合回路１７Ａと、第２の周波数帯以外の信号成分を除去するバンドパスフイルタ１７Ｂと、第２の周波数帯の電気信号を処理する送受信回路１７Ｃとによつて構成されており、切換スイツチ１８によつてアンテナ装置１を送受信部１７に接続した場合には、アンテナ装置１で受信された第２の周波数帯の電気信号は給電バネ９、切換スイツチ１８、整合回路１７Ａを通つてバンドパスフイルタ１７Ｂに入力され、ここで第２の周波数帯以外の信号成分が除去された後、送受信回路１７Ｃに入力されて処理される。これとは逆に送受信回路１７Ｃから出力された第２の周波数帯の電気信号は同じくバンドパスフイルタ１７Ｂで不要成分が除去された後、整合回路１７Ａ、切換スイツチ１８、給電バネ９を介してアンテナ装置１に供給される。
【００２３】
以上の構成において、切換スイツチ１８を第２の周波数帯の送受信部１７に接続した場合、当該送受信部１７によつて第２の周波数帯の電気信号が励振される。このとき図１に示すように線状アンテナ５を収納した場合には、螺旋状アンテナ４の下端に接続されたアンテナ接続金具１２がアンテナ支持金具８によつて挟持されることにより、当該アンテナ接続金具１２がアンテナ支持金具８に電気的に接続される。その結果、第２の周波数帯を共振周波数とする螺旋状アンテナ４がアンテナ接続金具１２、アンテナ支持金具８、アンテナ取付金具７を順に介して給電バネ９に電気的に接続され、第２の周波数帯において当該螺旋状アンテナ４が回路基板１５の接地導体及びシールドケースをグランドとするヘリカルアンテナとして作動する。
【００２４】
このとき第２の周波数帯を共振周波数とする線状アンテナ５もアンテナ接続金具１２、アンテナ支持金具８、アンテナ取付金具７を順に介して給電バネ９に電気的に接続されるが、回路基板１５の接地導体及びシールドケースの近傍に位置するため線状アンテナ５は入力インピーダンスが上昇して整合がとれなくなり、その結果第２の周波数帯ではアンテナとして作動しなくなる。また第１の周波数帯を共振周波数とする螺旋状アンテナ３もアンテナ支持金具８、アンテナ取付金具７を順に介して給電バネ９に電気的に接続されるが、共振周波数が異なるため第２の周波数帯ではアンテナとして作動しない。
【００２５】
これに対して図２に示すように線状アンテナ５を引き出した場合には、線状アンテナ５の下端に接続された引出時ストツパ１４がアンテナ支持金具８によつて挟持されることにより、当該引出時ストツパ１４がアンテナ支持金具８に電気的に接続される。その結果、第２の周波数帯を共振周波数とする線状アンテナ５が引出時ストツパ１４、アンテナ支持金具８、アンテナ取付金具７を順に介して給電バネ９に電気的に接続される。また第２の周波数帯を共振周波数とする螺旋状アンテナ４もアンテナ接続金具１２、線状アンテナ５、引出時ストツパ１４、アンテナ支持金具８、アンテナ取付金具７を順に介して給電バネ９に電気的に接続される。この場合、線状アンテナ５と螺旋状アンテナ４は共に第２の周波数帯を共振周波数としているので、線状アンテナ５と螺旋状アンテナ４は１つの複合アンテナを形成し、第２の周波数帯において回路基板１５の接地導体及びシールドケースをグランドとする複合アンテナとして作動する。このように線状アンテナ５と螺旋状アンテナ４からなる複合アンテナがアンテナとして作動することにより、アンテナ引出時には、アンテナとして十分な長さを確保し得、人体、主に頭部による電波遮断の影響を回避して良好なアンテナ特性を得ることができる。
このとき第１の周波数帯を共振周波数とする螺旋状アンテナ３もアンテナ支持金具８、アンテナ取付金具７を順に介して給電バネ９に電気的に接続されるが、共振周波数が異なるため第２の周波数帯ではアンテナとして作動しない。
【００２６】
一方、切換スイツチ１８を第１の周波数帯の送受信部１６に接続した場合、当該送受信部１６によつて第１の周波数帯の電気信号が励振される。このとき図１及び図２に示すように、第１の周波数帯を共振周波数とする螺旋状アンテナ３がアンテナ支持金具８、アンテナ取付金具７を順に介して給電バネ９に電気的に接続される。これにより螺旋状アンテナ３は第１の周波数帯において回路基板１５の接地導体及びシールドケースをグランドとするヘリカルアンテナとして作動する。
このとき第２の周波数帯を共振周波数とする線状アンテナ５及び螺旋状アンテナ４は、共振周波数が異なるため第１の周波数帯ではアンテナとして作動しない。
【００２７】
このようにして第２の周波数帯を共振周波数とする線状アンテナ５及び螺旋状アンテナ４を設け、アンテナ引出時には螺旋状アンテナ４と線状アンテナ５とがアンテナとして作動するようにし、アンテナ収納時には螺旋状アンテナ４がアンテナとして作動するようにしたことにより、アンテナ引出時には人体（主に頭部）の影響を回避して第２の周波数帯で良好なアンテナ特性を得ることができると共に、アンテナ収納時にも螺旋状アンテナ４がアンテナとして作動するため第２の周波数帯で良好なアンテナ特性を得ることができる。
また第１の周波数帯を共振周波数とする螺旋状アンテナ３を設け、当該螺旋状アンテナ３を給電バネ９に常に接続するようにしたことにより、螺旋状アンテナ３がアンテナとして作動して第１の周波数帯においても良好なアンテナ特性を得ることができる。
さらに線状アンテナ５が螺旋状アンテナ３の内部を摺動するような構造にしたことにより、第１の周波数帯で作動するアンテナ（３）と第２の周波数帯で作動するアンテナ（４、５）とでアンテナ支持金具８、アンテナ取付金具７及び給電バネ９を共通化し得、これによつて単にそれぞれの周波数帯だけで動作するアンテナを別々に搭載した場合に比して部品点数を減らすことができ、構成を簡易にすることができる。
【００２８】
因みに、第１の周波数帯においては螺旋状アンテナ３だけが作動するので人体の影響を受けやすく思えるが、第１の周波数帯は第２の周波数帯に対して高周波帯域（すなわちこの実施例では 1.9〔GHz 〕帯）に設定されているので当該第１の周波数帯の電波は波長が短くなつており、このため携帯無線機２の近傍に人体が存在したとしても電波の回り込みが起きるので人体の影響を受け難い。すなわちこの実施例の場合には、螺旋状アンテナ３の共振周波数を高周波帯域に設定したことにより、螺旋状アンテナ３だけでも十分なアンテナ特性を得ることができる。
【００２９】
以上の構成によれば、第２の周波数帯で作動する螺旋状アンテナ４と線状アンテナ５を設け、アンテナ引出時には螺旋状アンテナ４と線状アンテナ５とがアンテナとして作動し、アンテナ収納時には螺旋状アンテナ４がアンテナとして作動するようにすると共に、第１の周波数帯で常時作動する螺旋状アンテナ３を設けるようにしたことにより、第１の周波数帯においては螺旋状アンテナ３がアンテナとして常時作動し、第２の周波数帯においては螺旋状アンテナ４及び又は線状アンテナ５がアンテナとして作動し、かくして簡易な構成で２つの周波数帯の電気信号を扱うことができる。かくするにつき簡易な構成で２つの周波数帯で利用し得るアンテナ装置１を実現し得る。
またこのようなアンテナ装置１を携帯無線機２に搭載することにより、それぞれの周波数帯だけで動作するアンテナ装置を別々に設けなくても携帯無線機２でそれぞれの周波数帯の電気信号を扱うことができると共に、アンテナ装置を別々に設けない分、携帯無線機２を小型、軽量化し得る。
【００３０】
（２）第２実施例
図１及び図２との対応部分に同一符号を付して示す図３及び図４において、２０は全体として第２実施例によるアンテナ装置を示し、この実施例の場合にも、周波数帯の異なる２つの通信システムを利用し得るようになされた携帯無線機２に搭載され、異なる２つの周波数帯で作動し得るようになされている。因みに、この実施例の場合にも、図３はアンテナ収納状態を示し、図４はアンテナ引出状態を示している。但し、図３及び図４においては携帯無線機２の全体図は省略し、アンテナ装置２０の近傍部分のみを示す。
【００３１】
この第２実施例によるアンテナ装置２０も、導体を螺旋状に形成した２つの螺旋状アンテナ３、４と導体を直線状に形成した１つの線状アンテナ５の３つのアンテナ部分によつて構成されており、第１の周波数帯（例えば 1.9〔GHz 〕帯）では螺旋状アンテナ３が共振してアンテナとして作動し、第２の周波数帯（例えば 800〔MHz 〕帯）では螺旋状アンテナ４又は線状アンテナ５が共振してアンテナとして作動するようになされている。なお、第２の周波数帯ではアンテナ収納時に螺旋状アンテナ４がアンテナとして作動し、アンテナ引出時に線状アンテナ５がアンテナとして作動するようになされている。
【００３２】
この点について各部の構成を説明しながら以下に具体的に説明する。まずこの実施例の場合にも、アンテナ装置２０は携帯無線機２の筐体６に組み込まれた金属製のアンテナ取付金具７に金属製のアンテナ支持金具８をねじ込むことによつて当該筐体６に取り付けられている。
螺旋状アンテナ３はこのアンテナ支持金具８の上方に配置され、当該アンテナ支持金具８に対して下端にて電気的かつ機械的に接続されるようにねじ込み又はかしめを使用して取り付けられており、これにより螺旋状アンテナ３の下端はアンテナ支持金具８、アンテナ取付金具７を順に介して金属製の給電バネ９に電気的に常時接続されるようになされている。
【００３３】
線状アンテナ５は螺旋状アンテナ３の内部を螺旋の中心軸方向（図中矢印ａで示す）に沿つて摺動し得るようになされており、これにより当該線状アンテナ５を引き出し及び収納し得るようになされている。この線状アンテナ５は引き出したときに下端の引出時ストツパ１４がアンテナ支持金具８に挟持されることにより、当該引出時ストツパ１４、アンテナ支持金具８を順に介して給電バネ９に電気的に接続されるようになされている。
【００３４】
一方、螺旋状アンテナ４は線状アンテナ５の上方に配置され、金属製のアンテナ接続金具１２に対して下端にて電気的かつ機械的に接続されるようにねじ込み又はかしめを使用して取り付けられている。このアンテナ接続金具１２は非導電性のアンテナ接続具２１を介して線状アンテナ５の上端に接続されている。従つて螺旋状アンテナ４と線状アンテナ５とは機械的には一体に構成されているものの、電気的には分離状態にある。このようにして電気的に分離状態で線状アンテナ５の上端に接続されている螺旋状アンテナ４は、アンテナ収納時にアンテナ接続金具１２がアンテナ支持金具８によつて挟持されることにより当該アンテナ接続金具１２、アンテナ支持金具８、アンテナ取付金具７を順に介して給電バネ９に電気的に接続されるようになされている。
なお、このように螺旋状アンテナ４と線状アンテナ５が一体構成になつているため、この実施例の場合にも、螺旋状アンテナ４は線状アンテナ５の摺動に伴つて当該線状アンテナ５の上方を同じく螺旋の中心軸方向（図中矢印ａで示す）に沿つて摺動する。
【００３５】
これに対して携帯無線機２の筐体６内部には、無線機として必要な各種回路が実装された回路基板１５が収納されている。この実施例の場合にも、携帯無線機２が周波数帯の異なる２つの通信システムを利用するため、回路基板１５には第１の周波数帯で動作する送受信部１６及び第２の周波数帯で動作する送受信部１７が設けられており、切換スイツチ１８を切り換えることによりアンテナ装置２０で受信されたそれぞれの周波数帯の電気信号を対応する送受信部１６、１７に入力し得ると共に、それぞれの送受信部１６、１７から出力された電気信号をアンテナ装置２０に供給し得るようになされている。
【００３６】
以上の構成において、切換スイツチ１８を第２の周波数帯の送受信部１７に接続した場合、当該送受信部１７によつて第２の周波数帯の電気信号が励振される。このとき図３に示すように線状アンテナ５を収納した場合には、螺旋状アンテナ４の下端に接続されたアンテナ接続金具１２がアンテナ支持金具８によつて挟持されることにより、当該アンテナ接続金具１２がアンテナ支持金具８に電気的に接続される。その結果、第２の周波数帯を共振周波数とする螺旋状アンテナ４がアンテナ接続金具１２、アンテナ支持金具８、アンテナ取付金具７を順に介して給電バネ９に電気的に接続され、第２の周波数帯において当該螺旋状アンテナ４が回路基板１５の接地導体及びシールドケースをグランドとするヘリカルアンテナとして作動する。
【００３７】
このとき第２の周波数帯を共振周波数とする線状アンテナ５はアンテナ接続金具１２に対して機械的に接続されているが、その間にあるアンテナ接続具２１が非導電性部材であるためアンテナ接続金具１２に対しては電気的に分離されている。このためアンテナ接続金具１２が給電バネ９に電気的に接続されていたとしても線状アンテナ５は当該給電バネ９に対して電気的に分離されており、これにより線状アンテナ５はアンテナとしては作動しなくなる。
また第１の周波数帯を共振周波数とする螺旋状アンテナ３はアンテナ支持金具８、アンテナ取付金具７を順に介して給電バネ９に電気的に接続されているが、共振周波数が異なるため第２の周波数帯ではアンテナとして作動しない。
【００３８】
これに対して図４に示すように線状アンテナ５を引き出した場合には、線状アンテナ５の下端に接続された引出時ストツパ１４がアンテナ支持金具８によつて挟持されることにより、当該引出時ストツパ１４がアンテナ支持金具８に電気的に接続される。その結果、第２の周波数帯を共振周波数とする線状アンテナ５が引出時ストツパ１４、アンテナ支持金具８、アンテナ取付金具７を順に介して給電バネ９に電気的に接続され、第２の周波数帯において回路基板１５の接地導体及びシールドケースをグランドとするモノポールアンテナとして作動する。このように線状アンテナ５がアンテナとして作動することにより、アンテナ引出時には、アンテナとして十分な長さを確保し得、人体、主に頭部による電波遮断の影響を回避して良好なアンテナ特性を得ることができる。
【００３９】
このとき第２の周波数帯を共振周波数とする螺旋状アンテナ４はアンテナ接続金具１２を介して線状アンテナ５に機械的に接続されているが、その間にあるアンテナ接続具２１が非導電性部材であるため線状アンテナ５に対しては電気的に分離されている。このため線状アンテナ５が給電バネ９に電気的に接続されていたとしても螺旋状アンテナ４は当該給電バネ９に対して電気的に分離されており、これにより螺旋状アンテナ４はアンテナとしては作動しなくなる。
また第１の周波数帯を共振周波数とする螺旋状アンテナ３はアンテナ支持金具８、アンテナ取付金具７を順に介して給電バネ９に電気的に接続されているが、共振周波数が異なるため第２の周波数帯ではアンテナとして作動しない。
【００４０】
一方、切換スイツチ１８を第１の周波数帯の送受信部１６に接続した場合、当該送受信部１６によつて第１の周波数帯の電気信号が励振される。このとき図３及び図４に示すように、第１の周波数帯を共振周波数とする螺旋状アンテナ３がアンテナ支持金具８、アンテナ取付金具７を順に介して給電バネ９に電気的に接続される。これにより螺旋状アンテナ３は第１の周波数帯において回路基板１５の接地導体及びシールドケースをグランドとするヘリカルアンテナとして作動する。
このとき第２の周波数帯を共振周波数とする線状アンテナ５及び螺旋状アンテナ４は、共振周波数が異なるため第１の周波数帯ではアンテナとして作動しない。
【００４１】
このようにして第２の周波数帯を共振周波数とする線状アンテナ５及び螺旋状アンテナ４を設け、アンテナ引出時には線状アンテナ５がアンテナとして作動するようにし、アンテナ収納時には螺旋状アンテナ４がアンテナとして作動するようにしたことにより、アンテナ引出時には人体（主に頭部）の影響を回避して第２の周波数帯で良好なアンテナ特性を得ることができると共に、アンテナ収納時にも螺旋状アンテナ４がアンテナとして作動するため第２の周波数帯で良好なアンテナ特性を得ることができる。因みに、この実施例のように線状アンテナ５と螺旋状アンテナ４とを電気的に分離し、アンテナ収納時又は引出時においていずれか一方のアンテナだけが作動するようにすると、互いにアンテナ整合を乱す等といつたアンテナ同士の悪影響を未然に回避することができる。
また第１の周波数帯を共振周波数とする螺旋状アンテナ３を設け、当該螺旋状アンテナ３を給電バネ９に常に接続するようにしたことにより、螺旋状アンテナ３がアンテナとして作動して第１の周波数帯においても良好なアンテナ特性を得ることができる。
【００４２】
以上の構成によれば、第２の周波数帯で作動する螺旋状アンテナ４と線状アンテナ５を設け、アンテナ引出時には線状アンテナ５がアンテナとして作動し、アンテナ収納時には螺旋状アンテナ４がアンテナとして作動するようにすると共に、第１の周波数帯で常時作動する螺旋状アンテナ３を設けるようにしたことにより、第１の周波数帯においては螺旋状アンテナ３がアンテナとして常時作動し、第２の周波数帯においては螺旋状アンテナ４又は線状アンテナ５がアンテナとして作動し、かくして簡易な構成で２つの周波数帯の電気信号を扱うことができる。かくするにつき簡易な構成で２つの周波数帯で利用し得るアンテナ装置２０を実現し得る。
またこのようなアンテナ装置２０を携帯無線機２に搭載することにより、それぞれの周波数帯だけで動作するアンテナ装置を別々に設けなくても携帯無線機２でそれぞれの周波数帯の電気信号を扱うことができると共に、アンテナ装置を別々に設けない分、携帯無線機２を小型、軽量化し得る。
【００４３】
（３）第３実施例
図１及び図２との対応部分に同一符号を付して示す図５及び図６において、３０は全体として第３実施例によるアンテナ装置を示し、この実施例の場合にも、周波数帯の異なる２つの通信システムで利用し得るようになされた携帯無線機２に搭載され、異なる２つの周波数帯で作動し得るようになされている。因みに、この実施例の場合にも、図５はアンテナ収納状態を示し、図６はアンテナ引出状態を示している。但し、図５及び図６においては携帯無線機２の全体図は省略し、アンテナ装置３０の近傍部分のみを示す。
【００４４】
この第３実施例によるアンテナ装置３０も、導体を螺旋状に形成した２つの螺旋状アンテナ３、４と導体を直線状に形成した１つの線状アンテナ５の３つのアンテナ部分によつて構成されており、第１の周波数帯（例えば 1.9〔GHz 〕帯）では螺旋状アンテナ３が共振してアンテナとして作動し、第２の周波数帯（例えば 800〔MHz 〕帯）では螺旋状アンテナ４及び又は線状アンテナ５が共振してアンテナとして作動するようになされている。なお、第２の周波数帯ではアンテナ収納時に螺旋状アンテナ４がアンテナとして作動し、アンテナ引出時に螺旋状アンテナ４と線状アンテナ５の２つがアンテナとして作動するようになされている。
【００４５】
この点について各部の構成を説明しながら以下に具体的に説明する。まずこの実施例の場合にも、アンテナ装置３０は携帯無線機２の筐体６に組み込まれた金属製のアンテナ取付金具７に金属製の第１のアンテナ支持金具３１をねじ込むことによつて当該筐体６に取り付けられている。
螺旋状アンテナ３はこの第１のアンテナ支持金具３１の上方に配置され、当該第１のアンテナ支持金具３１に対して下端にて電気的かつ機械的に接続されるようにねじ込み又はかしめを使用して取り付けられており、これにより螺旋状アンテナ３の下端は第１のアンテナ支持金具３１、アンテナ取付金具７を順に介して金属製の給電バネ９に電気的に常時接続されるようになされている。
【００４６】
第１のアンテナ支持金具３１の上部には、第１のアンテナ支持金具３１と一体に形成され、かつ断面ほぼＴ字状でかつ中空構造に形成された金属製の第２のアンテナ支持金具３１Ａが設けられている。螺旋状アンテナ４は螺旋状アンテナ３の上方に配置され、この第２のアンテナ支持金具３１Ａに対して下端にて電気的かつ機械的に接続されるように取り付けられている。これにより螺旋状アンテナ４は第２のアンテナ支持金具３１Ａ、第１のアンテナ支持金具３１、アンテナ取付金具７を順に介して給電バネ９に電気的に常時接続される。
【００４７】
螺旋状アンテナ３及び螺旋状アンテナ４の周囲は非導電性のアンテナカバー３２によつて被覆されており、これにより螺旋状アンテナ３及び螺旋状アンテナ４が直接人体に触れないようになされている。因みに、このアンテナカバー３２は外部から加えられた力によつて螺旋状アンテナ３及び螺旋状アンテナ４が変形しないように当該螺旋状アンテナ３及び螺旋状アンテナ４を保護する役割もある。なお、アンテナカバー３２のほぼ中間位置には内方向に突出する突出部３２Ａが設けられており、当該突出部３２Ａによつて螺旋状アンテナ３の上端が第２のアンテナ支持金具３１Ａに電気的に接続しないようになされている。これにより螺旋状アンテナ３が第２のアンテナ支持金具３１Ａ及び第１のアンテナ支持金具３１によつて短絡され、アンテナとして作動しなくなることを防止し得る。
【００４８】
線状アンテナ５は螺旋状アンテナ３及び螺旋状アンテナ４の内部を螺旋の中心軸方向（図中矢印ａで示す）に沿つて摺動し得るようになされており、これにより当該線状アンテナ５を引き出し及び収納し得るようになされている。また線状アンテナ５の周囲は非導電性のアンテナカバー１１によつて被覆されており、アンテナ引出時に当該線状アンテナ５が直接人体に触れないようになされている。因みに、このアンテナカバー１１はアンテナ引出時に外部から加えられた力によつて線状アンテナ５が変形しないように当該線状アンテナ５を保護する役割もある。
【００４９】
線状アンテナ５の下端部には断面ほぼ凸字状に形成された金属製の引出時ストツパ１４がねじ込み又はかしめによつて電気的かつ機械的に接続されるように取り付けられている。この引出時ストツパ１４は、線状アンテナ５を引き出した時に径の太い下端部が第１のアンテナ支持金具３１の下端部に当接することにより、当該線状アンテナ５が引き抜けることを防止し得るようになされている。またこの引出時ストツパ１４は線状アンテナ５を引き出した時に第１のアンテナ支持金具３１によつて挟持され、当該第１のアンテナ支持金具３１、アンテナ取付金具７を順に介して線状アンテナ５の下端を給電バネ９に電気的に接続するようになされている。
【００５０】
線状アンテナ５の上端部には断面ほぼＴ字状に形成された非導電性の収納時ストツパ３３が設けられている。この収納時ストツパ３３は、線状アンテナ５を引き出すときにはつまみとして機能し、線状アンテナ５を収納したときには径の太い上端部がアンテナカバー３２の上端部に当接することにより当該線状アンテナ５が携帯無線機２内部に落下することを防止する。また収納時ストツパ３３は線状アンテナ５を収納したときに第１のアンテナ支持金具３１及び第２のアンテナ支持金具３１Ａによつて挟持され、携帯無線機２を持ち歩いたとき等に線状アンテナ５が自然に引き出されないように防止する。
【００５１】
一方、携帯無線機２の筐体６内部には、無線機として必要な各種回路が実装された回路基板１５が収納されている。この実施例の場合にも、携帯無線機２が周波数帯の異なる２つの通信システムを利用するため、回路基板１５には第１の周波数帯で動作する送受信部１６及び第２の周波数帯で動作する送受信部１７が設けられており、切換スイツチ１８を切り換えることによりアンテナ装置３０で受信されたそれぞれの周波数帯の電気信号を対応する送受信部１６、１７に入力し得ると共に、それぞれの送受信部１６、１７から出力された電気信号をアンテナ装置３０に供給し得るようになされている。
【００５２】
以上の構成において、切換スイツチ１８を第２の周波数帯の送受信部１７に接続した場合、当該送受信部１７によつて第２の周波数帯の電気信号が励振される。このとき図５に示すように線状アンテナ５を収納した場合には、第２の周波数帯を共振周波数とする螺旋状アンテナ４が第２のアンテナ支持金具３１Ａ、第１のアンテナ支持金具３１、アンテナ取付金具７を順に介して給電バネ９に電気的に接続され、第２の周波数帯において回路基板１５の接地導体及びシールドケースをグランドとするヘリカルアンテナとして作動する。
【００５３】
このとき第２の周波数帯を共振周波数とする線状アンテナ５は、上端に接続された収納時ストツパ３３が第１のアンテナ支持金具３１によつて挟持されるが、当該収納時ストツパ３３が非導電性部材であるために第１のアンテナ支持金具３１に対しては電気的に分離される。これにより線状アンテナ５は給電バネ９に対して電気的に分離され、アンテナとして作動しない。また第１の周波数帯を共振周波数とする螺旋状アンテナ３は第１のアンテナ支持金具３１、アンテナ取付金具７を順に介して給電バネ９に電気的に接続されるが、共振周波数が異なるため第２の周波数帯においてはアンテナとして作動しない。
【００５４】
これに対して図６に示すように線状アンテナ５を引き出した場合には、線状アンテナ５の下端に接続された引出時ストツパ１４が第１のアンテナ支持金具３１によつて挟持され、これにより引出時ストツパ１４と第１のアンテナ支持金具３１とが電気的に接続される。その結果、第２の周波数帯を共振周波数とする線状アンテナ５が引出時ストツパ１４、第１のアンテナ支持金具３１、アンテナ取付金具７を順に介して給電バネ９に電気的に接続され、第２の周波数帯において回路基板１５の接地導体及びシールドケースをグランドとするモノポールアンテナとして作動する。このように線状アンテナ５がアンテナとして作動することにより、アンテナ引出時には、アンテナとして十分な長さを確保し得、人体、主に頭部による電波遮断の影響を回避して良好なアンテナ特性を得ることができる。
【００５５】
また第２の周波数帯を共振周波数とする螺旋状アンテナ４も第２のアンテナ支持金具３１Ａ、第１のアンテナ支持金具３１、アンテナ取付金具７を順に介して給電バネ９に電気的に接続され、第２の周波数帯において回路基板１５の接地導体及びシールドケースをグランドするヘリカルアンテナとして作動する。
このとき第１の周波数帯を共振周波数とする螺旋状アンテナ３は第１のアンテナ支持金具３１、アンテナ取付金具７を順に介して給電バネ９に電気的に接続されるが、共振周波数が異なるため第２の周波数帯においてはアンテナとして作動しない。
【００５６】
一方、切換スイツチ１８を第１の周波数帯の送受信部１６に接続した場合、当該送受信部１６によつて第１の周波数帯の電気信号が励振される。このとき図５及び図６に示すように、第１の周波数帯を共振周波数とする螺旋状アンテナ３は第１のアンテナ支持金具３１、アンテナ取付金具７を順に介して給電バネ９に電気的に接続される。これにより螺旋状アンテナ３は第１の周波数帯において回路基板１５の接地導体及びシールドケースをグランドとするヘリカルアンテナとして作動する。
このとき第２の周波数帯を共振周波数とする線状アンテナ５及び螺旋状アンテナ４は共振周波数が異なるため、アンテナとして作動しない。
【００５７】
このようにして第２の周波数帯を共振周波数とする線状アンテナ５及び螺旋状アンテナ４を設け、アンテナ引出時には線状アンテナ５及び螺旋状アンテナ４がアンテナとして作動するようにし、アンテナ収納時には螺旋状アンテナ４がアンテナとして作動するようにしたことにより、アンテナ引出時には人体（主に頭部）の影響を回避して第２の周波数帯で良好なアンテナ特性を得ることができると共に、アンテナ収納時にも螺旋状アンテナ４がアンテナとして作動するため第２の周波数帯で良好なアンテナ特性を得ることができる。因みに、線状アンテナ５を収納したときに当該線状アンテナ５が給電バネ９に対して電気的に分離されるようにしたことにより、収納によつてグランド近傍に配置された線状アンテナ５が螺旋状アンテナ４の整合状態を乱す等といつた悪影響を未然に回避し得る。
【００５８】
また第１の周波数帯を共振周波数とする螺旋状アンテナ３を設け、当該螺旋状アンテナ３を給電バネ９に常に接続するようにしたことにより、螺旋状アンテナ３がアンテナとして作動して第１の周波数帯においても良好なアンテナ特性を得ることができる。
さらに螺旋状アンテナ３と螺旋状アンテナ４とを重ね合わせ、当該螺旋状アンテナ３及び４の内部を線状アンテナ５が摺動するような構造にしたことにより、第１の周波数帯で作動するアンテナ（３）と第２の周波数帯で作動するアンテナ（４、５）とで第１のアンテナ支持金具３１、アンテナ取付金具７及び給電バネ９を共通化し得、これによつて単にそれぞれの周波数帯だけで動作するアンテナを別々に搭載した場合に比して部品点数を減らすことができ、構成を簡易にすることができる。
【００５９】
以上の構成によれば、第２の周波数帯で作動する螺旋状アンテナ４と線状アンテナ５を設け、アンテナ引出時には線状アンテナ５及び螺旋状アンテナ４がアンテナとして作動し、アンテナ収納時には螺旋状アンテナ４がアンテナとして作動するようにすると共に、第１の周波数帯で常時作動する螺旋状アンテナ３を設けるようにしたことにより、第１の周波数帯においては螺旋状アンテナ３がアンテナとして常時作動し、第２の周波数帯においては螺旋状アンテナ４及び又は線状アンテナ５がアンテナとして作動し、かくして簡易な構成で２つの周波数帯の電気信号を扱うことができる。かくするにつき簡易な構成で２つの周波数帯で利用し得るアンテナ装置３０を実現し得る。
またこのようなアンテナ装置３０を携帯無線機２に搭載することにより、それぞれの周波数帯だけで動作するアンテナ装置を別々に設けなくても携帯無線機２でそれぞれの周波数帯の電気信号を扱うことができると共に、アンテナ装置を別々に設けない分、携帯無線機２を小型、軽量化し得る。
【００６０】
（４）第４実施例
図５及び図６との対応部分に同一符号を付して示す図７及び図８において、４０は全体として第４実施例によるアンテナ装置を示し、この実施例の場合にも、周波数帯の異なる２つの通信システムで利用し得るようになされた携帯無線機２に搭載され、異なる２つの周波数帯で作動し得るようになされている。因みに、この実施例の場合にも、図７はアンテナ収納状態を示し、図８はアンテナ引出状態を示している。但し、図７及び図８においては携帯無線機２の全体図は省略し、アンテナ装置４０の近傍部分のみを示す。
【００６１】
この第４実施例によるアンテナ装置４０も、導体を螺旋状に形成した２つの螺旋状アンテナ３、４と導体を直線状に形成した１つの線状アンテナ５の３つのアンテナ部分によつて構成されており、第１の周波数帯（例えば 1.9〔GHz 〕帯）では螺旋状アンテナ３が共振してアンテナとして作動し、第２の周波数帯（例えば 800〔MHz 〕帯）では螺旋状アンテナ４又は線状アンテナ５が共振してアンテナとして作動するようになされている。なお、第２の周波数帯ではアンテナ収納時に螺旋状アンテナ４がアンテナとして作動し、アンテナ引出時に線状アンテナ５がアンテナとして作動するようになされている。
【００６２】
この点について各部の構成を説明しながら以下に具体的に説明する。まずこの実施例の場合にも、アンテナ装置４０は携帯無線機２の筐体６に組み込まれた金属製のアンテナ取付金具７に金属製の第１のアンテナ支持金具４１をねじ込むことによつて当該筐体６に取り付けられている。
螺旋状アンテナ３はこの第１のアンテナ支持金具４１の上方に配置され、当該第１のアンテナ支持金具４１に対して下端にて電気的かつ機械的に接続されるようにねじ込み又はかしめを使用して取り付けられており、これにより螺旋状アンテナ３の下端は第１のアンテナ支持金具４１、アンテナ取付金具７を順に介して金属製の給電バネ９に電気的に常時接続されるようになされている。
【００６３】
螺旋状アンテナ４はこの螺旋状アンテナ３の上方に配置され、第２のアンテナ支持金具４２に対して下端にて電気的かつ機械的に接続されるようにねじ込み又はかしめを使用して取り付けられている。この実施例の場合、第２のアンテナ支持金具４２と第１のアンテナ支持金具４１は電気的及び機械的に分離されており、これにより螺旋状アンテナ４は第３実施例のように給電バネ９に対して常時電気的に接続されることはなく、後述するようにアンテナ収納時のみ給電バネ９に電気的に接続される。
【００６４】
螺旋状アンテナ３及び螺旋状アンテナ４の周囲は非導電性のアンテナカバー３２によつて被覆されており、これにより螺旋状アンテナ３及び螺旋状アンテナ４が直接人体に触れないようになされている。因みに、このアンテナカバー３２は外部から加えられた力によつて螺旋状アンテナ３及び螺旋状アンテナ４が変形しないように当該螺旋状アンテナ３及び螺旋状アンテナ４を保護する役割もある。なお、アンテナカバー３２のほぼ中間位置には内方向に突出する突出部３２Ａが設けられており、当該突出部３２Ａによつて第２のアンテナ支持金具４２が下方に落下しないように固定されていると共に、螺旋状アンテナ３の上端が第２のアンテナ支持金具４２に電気的に接続しないように防止されている。
【００６５】
線状アンテナ５は螺旋状アンテナ３及び螺旋状アンテナ４の内部を螺旋の中心軸方向（図中矢印ａで示す）に沿つて摺動し得るようになされており、これにより当該線状アンテナ５を引き出し及び収納し得るようになされている。また線状アンテナ５の周囲は非導電性のアンテナカバー１１によつて被覆されており、アンテナ引出時に当該線状アンテナ５が直接人体に触れないようになされている。因みに、このアンテナカバー１１はアンテナ引出時に外部から加えられた力によつて線状アンテナ５が変形しないように当該線状アンテナ５を保護する役割もある。
【００６６】
線状アンテナ５の下端部には断面ほぼ凸字状に形成された金属製の引出時ストツパ１４がねじ込み又はかしめによつて電気的かつ機械的に接続されるように取り付けられている。この引出時ストツパ１４は、線状アンテナ５を引き出した時に径の太い下端部が第１のアンテナ支持金具４１の下端部に当接することにより、当該線状アンテナ５が引き抜けることを防止し得るようになされている。またこの引出時ストツパ１４は線状アンテナ５を引き出した時に第１のアンテナ支持金具４１によつて挟持され、当該第１のアンテナ支持金具４１、アンテナ取付金具７を順に介して線状アンテナ５の下端を給電バネ９に電気的に接続するようになされている。
【００６７】
線状アンテナ５の上端部には断面ほぼＴ字状に形成された非導電性の収納時ストツパ３３が設けられている。この収納時ストツパ３３は、線状アンテナ５を引き出すときにはつまみとして機能し、線状アンテナ５を収納したときには径の太い上端部がアンテナカバー３２の上端部に当接することにより当該線状アンテナ５が携帯無線機２内部に落下することを防止する。また収納時ストツパ３３は線状アンテナ５を収納したときに第１のアンテナ支持金具４１及び第２のアンテナ支持金具４２によつて挟持され、携帯無線機２を持ち歩いたとき等に線状アンテナ５が自然に引き出されないように防止する。
【００６８】
また収納時ストツパ３３の外周所定位置には、当該収納時ストツパ３３と一体になるように金属製のアンテナ接続金具４３が埋め込まれている。このアンテナ接続金具４３は、線状アンテナ５を収納したときに丁度第１のアンテナ支持金具４１から第２のアンテナ支持金具４２のところに位置するように配置されており、第１のアンテナ支持金具４１及び第２のアンテナ支持金具４２によつて挟持されるようになされている。このようなアンテナ接続金具４３を設けたことにより、アンテナ収納時、第２のアンテナ支持金具４２はアンテナ接続金具４３を介して第１のアンテナ支持金具４１に電気的に接続され、これによつて螺旋状アンテナ４はアンテナ収納時に第２のアンテナ支持金具４２、アンテナ接続金具４３、第１のアンテナ支持金具４１、アンテナ取付金具７を順に介して給電バネ９に電気的に接続される。すなわちこの実施例の場合、線状アンテナ５に設けられたアンテナ接続金具４３は螺旋状アンテナ４を給電バネ９に電気的に接続するための接続部材として機能している。
【００６９】
一方、携帯無線機２の筐体６内部には、無線機として必要な各種回路が実装された回路基板１５が収納されている。この実施例の場合にも、携帯無線機２が周波数帯の異なる２つの通信システムを利用するため、回路基板１５には第１の周波数帯で動作する送受信部１６及び第２の周波数帯で動作する送受信部１７が設けられており、切換スイツチ１８を切り換えることによりアンテナ装置４０で受信されたそれぞれの周波数帯の電気信号を対応する送受信部１６、１７に入力し得ると共に、それぞれの送受信部１６、１７から出力された電気信号をアンテナ装置４０に供給し得るようになされている。
【００７０】
以上の構成において、切換スイツチ１８を第２の周波数帯の送受信部１７に接続した場合、当該送受信部１７によつて第２の周波数帯の電気信号が励振される。このとき図７に示すように線状アンテナ５を収納した場合には、収納時ストツパ３３の外周にあるアンテナ接続金具４３が第１のアンテナ支持金具４１及び第２のアンテナ支持金具４２によつて挟持されるため、第２の周波数帯を共振周波数とする螺旋状アンテナ４が第２のアンテナ支持金具４２、アンテナ接続金具４３、第１のアンテナ支持金具４１、アンテナ取付金具７を順に介して給電バネ９に電気的に接続され、これにより螺旋状アンテナ４が第２の周波数帯において回路基板１５の接地導体及びシールドケースをグランドとするヘリカルアンテナとして作動する。
【００７１】
このとき第２の周波数帯を共振周波数とする線状アンテナ５は、上端に接続された収納時ストツパ３３が第１のアンテナ支持金具４１によつて挟持されるが、収納時ストツパ３３が非導電性部材であるために第１のアンテナ支持金具４１に対しては電気的に分離される。これにより線状アンテナ５は給電バネ９に対して電気的に分離され、アンテナとしては作動しない。
また第１の周波数帯を共振周波数とする螺旋状アンテナ３は第１のアンテナ支持金具４１、アンテナ取付金具７を順に介して給電バネ９に電気的に接続されるが、共振周波数が異なるため第２の周波数帯においてはアンテナとして作動しない。
【００７２】
これに対して図８に示すように線状アンテナ５を引き出した場合には、線状アンテナ５の下端に接続された引出時ストツパ１４が第１のアンテナ支持金具４１によつて挟持され、これにより引出時ストツパ１４と第１のアンテナ支持金具４１とが電気的に接続される。その結果、第２の周波数帯を共振周波数とする線状アンテナ５が引出時ストツパ１４、第１のアンテナ支持金具４１、アンテナ取付金具７を順に介して給電バネ９に電気的に接続され、第２の周波数帯において回路基板１５の接地導体及びシールドケースをグランドとするモノポールアンテナとして作動する。このように線状アンテナ５がアンテナとして作動することにより、アンテナ引出時には、アンテナとして十分な長さを確保し得、人体、主に頭部による電波遮断の影響を回避して良好なアンテナ特性を得ることができる。
【００７３】
このとき第２の周波数帯を共振周波数とする螺旋状アンテナ４は、線状アンテナ５の引き出しに伴つてアンテナ接続金具４３が上方に移動するため、第１のアンテナ支持金具４１に対して電気的に分離される。これにより給電バネ９とも電気的に分離され、アンテナとして作動しなくなる。
また第１の周波数帯を共振周波数とする螺旋状アンテナ３は、第１のアンテナ支持金具４１、アンテナ取付金具７を順に介して給電バネ９に電気的に接続されるが、共振周波数が異なるため第２の周波数帯ではアンテナとして作動しない。
【００７４】
一方、切換スイツチ１８を第１の周波数帯の送受信部１６に接続した場合、当該送受信部１６によつて第１の周波数帯の電気信号が励振される。このとき図７及び図８に示すように、第１の周波数帯を共振周波数とする螺旋状アンテナ３は第１のアンテナ支持金具４１、アンテナ取付金具７を順に介して給電バネ９に電気的に接続される。これにより螺旋状アンテナ３は第１の周波数帯において回路基板１５の接地導体及びシールドケースをグランドとするヘリカルアンテナとして作動する。
このとき第２の周波数帯を共振周波数とする線状アンテナ５及び螺旋状アンテナ４は共振周波数が異なるため、アンテナとして作動しない。
【００７５】
このようにして第２の周波数帯を共振周波数とする線状アンテナ５及び螺旋状アンテナ４を設け、アンテナ引出時には線状アンテナ５がアンテナとして作動するようにし、アンテナ収納時には螺旋状アンテナ４がアンテナとして作動するようにしたことにより、アンテナ引出時には人体（主に頭部）の影響を回避して第２の周波数帯で良好なアンテナ特性を得ることができると共に、アンテナ収納時にも螺旋状アンテナ４がアンテナとして作動するため第２の周波数帯で良好なアンテナ特性を得ることができる。因みに、この実施例のように線状アンテナ５と螺旋状アンテナ４とを電気的に分離し、アンテナ収納時又は引出時においていずれか一方のアンテナだけが作動するようにすると、互いにアンテナ整合を乱す等といつたアンテナ同士の悪影響を未然に回避することができる。
また第１の周波数帯を共振周波数とする螺旋状アンテナ３を設け、当該螺旋状アンテナ３を給電バネ９に常に接続するようにしたことにより、螺旋状アンテナ３がアンテナとして作動して第１の周波数帯においても良好なアンテナ特性を得ることができる。
さらに収納時ストツパ３３の外周にアンテナ接続金具４３を設け、アンテナ収納時に当該アンテナ接続金具４３によつて第２のアンテナ支持金具４２を第１のアンテナ支持金具４１に接続するようにしたことにより、簡易な構成で螺旋状アンテナ４を給電バネ９に接続してアンテナとして作動させることができる。
【００７６】
以上の構成によれば、第２の周波数帯で作動する螺旋状アンテナ４と線状アンテナ５を設け、アンテナ引出時には線状アンテナ５がアンテナとして作動し、アンテナ収納時には螺旋状アンテナ４がアンテナとして作動するようにすると共に、第１の周波数帯で常時作動する螺旋状アンテナ３を設けるようにしたことにより、第１の周波数帯においては螺旋状アンテナ３がアンテナとして常時作動し、第２の周波数帯においては螺旋状アンテナ４又は線状アンテナ５がアンテナとして作動し、かくして簡易な構成で２つの周波数帯の電気信号を扱うことができる。かくするにつき簡易な構成で２つの周波数帯で利用し得るアンテナ装置４０を実現し得る。
またこのようなアンテナ装置４０を携帯無線機２に搭載することにより、それぞれの周波数帯だけで動作するアンテナ装置を別々に設けなくても携帯無線機２でそれぞれの周波数帯の電気信号を扱うことができると共に、アンテナ装置を別々に設けない分、携帯無線機２を小型、軽量化し得る。
【００７７】
（５）第５実施例
図５及び図６との対応部分に同一符号を付して示す図９及び図１０において、５０は全体として第５実施例によるアンテナ装置を示し、この実施例の場合にも、周波数帯の異なる２つの通信システムで利用し得るようになされた携帯無線機２に搭載され、異なる２つの周波数帯で作動し得るようになされている。因みに、この実施例の場合にも、図９はアンテナ収納状態を示し、図１０はアンテナ引出状態を示している。但し、図９及び図１０においては携帯無線機２の全体図は省略し、アンテナ装置５０の近傍部分のみを示す。
【００７８】
この第５実施例によるアンテナ装置５０も、導体を螺旋状に形成した２つの螺旋状アンテナ３、４と導体を直線状に形成した１つの線状アンテナ５の３つのアンテナ部分によつて構成されており、第１の周波数帯（例えば 1.9〔GHz 〕帯）では螺旋状アンテナ３が共振してアンテナとして作動し、第２の周波数帯（例えば 800〔MHz 〕帯）では螺旋状アンテナ４又は線状アンテナ５が共振してアンテナとして作動するようになされている。なお、第２の周波数帯ではアンテナ収納時に螺旋状アンテナ４がアンテナとして作動し、アンテナ引出時に線状アンテナ５がアンテナとして作動するようになされている。
【００７９】
この点について各部の構成を説明しながら以下に具体的に説明する。まずこの実施例の場合にも、アンテナ装置５０は携帯無線機２の筐体６に組み込まれた金属製のアンテナ取付金具７に金属製の第１のアンテナ支持金具３１をねじ込むことによつて当該筐体６に取り付けられている。
螺旋状アンテナ３はこの第１のアンテナ支持金具３１の上方に配置され、当該第１のアンテナ支持金具３１に対して下端にて電気的かつ機械的に接続されるようにねじ込み又はかしめを使用して取り付けられており、これにより螺旋状アンテナ３の下端は第１のアンテナ支持金具３１、アンテナ取付金具７を順に介して金属製の給電バネ９に電気的に常時接続されるようになされている。
【００８０】
第１のアンテナ支持金具３１の上部には、第１のアンテナ支持金具３１と一体に形成され、かつ断面ほぼＴ字状でかつ中空構造に形成された金属製の第２のアンテナ支持金具３１Ａが設けられている。螺旋状アンテナ４は螺旋状アンテナ３の上方に配置され、この第２のアンテナ支持金具３１Ａに対して下端にて電気的かつ機械的に接続されるように取り付けられている。これにより螺旋状アンテナ４の下端は第２のアンテナ支持金具３１Ａ、第１のアンテナ支持金具３１、アンテナ取付金具７を順に介して給電バネ９に電気的に常時接続される。なお、螺旋状アンテナ４の上端には、後述するように線状アンテナ５を引き出したときに当該螺旋状アンテナ４を短絡するための金属金具５１が接続されている。
【００８１】
螺旋状アンテナ３及び螺旋状アンテナ４の周囲は非導電性のアンテナカバー３２によつて被覆されており、これにより螺旋状アンテナ３及び螺旋状アンテナ４が直接人体に触れないようになされている。因みに、このアンテナカバー３２は外部から加えられた力によつて螺旋状アンテナ３及び螺旋状アンテナ４が変形しないように当該螺旋状アンテナ３及び螺旋状アンテナ４を保護する役割もある。なお、アンテナカバー３２のほぼ中間位置には内方向に突出する突出部３２Ａが設けられており、当該突出部３２Ａによつて螺旋状アンテナ３の上端が第２のアンテナ支持金具３１Ａに電気的に接続しないようになされている。これにより螺旋状アンテナ３が第２のアンテナ支持金具３１Ａ及び第１のアンテナ支持金具３１によつて短絡され、アンテナとして作動しなくなることを防止し得る。
【００８２】
線状アンテナ５は螺旋状アンテナ３及び螺旋状アンテナ４の内部を螺旋の中心軸方向（図中矢印ａで示す）に沿つて摺動し得るようになされており、これにより当該線状アンテナ５を引き出し及び収納し得るようになされている。また線状アンテナ５の周囲は非導電性のアンテナカバー１１によつて被覆されており、アンテナ引出時に当該線状アンテナ５が直接人体に触れないようになされている。因みに、このアンテナカバー１１はアンテナ引出時に外部から加えられた力によつて線状アンテナ５が変形しないように当該線状アンテナ５を保護する役割もある。
【００８３】
線状アンテナ５の下端部には断面ほぼ凸字状に形成された金属製の引出時ストツパ５２がねじ込み又はかしめによつて電気的かつ機械的に接続されるように取り付けられている。この引出時ストツパ５２は、線状アンテナ５を引き出した時に径の太い下端部が第１のアンテナ支持金具３１の下端部に当接することにより、当該線状アンテナ５が引き抜けることを防止し得るようになされている。またこの引出時ストツパ５２は線状アンテナ５を引き出した時に第１のアンテナ支持金具３１によつて挟持され、当該第１のアンテナ支持金具３１、アンテナ取付金具７を順に介して線状アンテナ５の下端を給電バネ９に電気的に接続するようになされている。
【００８４】
ところでこの引出時ストツパ５２は第３実施例の引出時ストツパ１４に対して上端から下端までの長さが長くなつており、ほぼ螺旋状アンテナ４の上端から第１のアンテナ支持金具３１の下端までの長さを有している。このため線状アンテナ５を引き出した時には、引出時ストツパ５２は螺旋状アンテナ４の上端から第１のアンテナ支持金具３１の下端までに位置し、これによつて当該引出時ストツパ５２は螺旋状アンテナ４の上端にある金属金具５１、第２のアンテナ支持金具３１Ａ及び第１のアンテナ支持金具３１の３点で挟持される。なお、このとき螺旋状アンテナ４の上端にある金属金具５１と第２のアンテナ支持金具３１Ａが引出時ストツパ５２を挟持するため、螺旋状アンテナ４の上端と下端が引出時ストツパ５２を介して短絡された状態になる。すなわちこの実施例の場合、線状アンテナ５に設けられた収納時ストツパ５２は螺旋状アンテナ４の上下端を短絡するための接続部材としても機能している。
【００８５】
また線状アンテナ５の上端部には断面ほぼＴ字状に形成された非導電性の収納時ストツパ３３が設けられている。この収納時ストツパ３３は、線状アンテナ５を引き出すときにはつまみとして機能し、線状アンテナ５を収納したときには径の太い上端部がアンテナカバー３２の上端部に当接することにより当該線状アンテナ５が携帯無線機２内部に落下することを防止する。また収納時ストツパ３３は線状アンテナ５を収納したときに第１のアンテナ支持金具３１、第２のアンテナ支持金具３１Ａ及び金属金具５１によつて挟持され、携帯無線機２を持ち歩いたとき等に線状アンテナ５が自然に引き出されないように防止する。
【００８６】
一方、携帯無線機２の筐体６内部には、無線機として必要な各種回路が実装された回路基板１５が収納されている。この実施例の場合にも、携帯無線機２が周波数帯の異なる２つの通信システムを利用するため、回路基板１５には第１の周波数帯で動作する送受信部１６及び第２の周波数帯で動作する送受信部１７が設けられており、切換スイツチ１８を切り換えることによりアンテナ装置５０で受信されたそれぞれの周波数帯の電気信号を対応する送受信部１６、１７に入力し得ると共に、それぞれの送受信部１６、１７から出力された電気信号をアンテナ装置５０に供給し得るようになされている。
【００８７】
以上の構成において、切換スイツチ１８を第２の周波数帯の送受信部１７に接続した場合、当該送受信部１７によつて第２の周波数帯の電気信号が励振される。このとき図９に示すように線状アンテナ５を収納した場合には、第２の周波数帯を共振周波数とする螺旋状アンテナ４が第２のアンテナ支持金具３１Ａ、第１のアンテナ支持金具３１、アンテナ取付金具７を順に介して給電バネ９に電気的に接続され、第２の周波数帯において回路基板１５の接地導体及びシールドケースをグランドとするヘリカルアンテナとして作動する。
【００８８】
このとき第２の周波数帯を共振周波数とする線状アンテナ５は、上端に接続された収納時ストツパ３３が第１のアンテナ支持金具３１、第２のアンテナ支持金具３１Ａ及び金属金具５１によつて挟持されるが、当該収納時ストツパ３３が非導電性部材であるために第１のアンテナ支持金具３１に対しては電気的に分離される。これにより線状アンテナ５は給電バネ９に対して電気的に分離され、アンテナとして作動しない。また第１の周波数帯を共振周波数とする螺旋状アンテナ３は第１のアンテナ支持金具３１、アンテナ取付金具７を順に介して給電バネ９に電気的に接続されるが、共振周波数が異なるため第２の周波数帯においてはアンテナとして作動しない。
【００８９】
これに対して図１０に示すように線状アンテナ５を引き出した場合には、線状アンテナ５の下端に接続された引出時ストツパ５２が第１のアンテナ支持金具３１によつて挟持され、これにより引出時ストツパ５２と第１のアンテナ支持金３１とが電気的に接続される。その結果、第２の周波数帯を共振周波数とする線状アンテナ５が引出時ストツパ５２、第１のアンテナ支持金具３１、アンテナ取付金具７を順に介して給電バネ９に電気的に接続され、第２の周波数帯において回路基板１５の接地導体及びシールドケースをグランドとするモノポールアンテナとして作動する。このように線状アンテナ５がモノポールアンテナとして作動することにより、アンテナ引出時には、アンテナとして十分な長さを確保し得、人体、主に頭部による電波遮断の影響を回避して良好なアンテナ特性を得ることができる。
【００９０】
このとき引出時ストツパ５２は、螺旋状アンテナ４の下端に接続された第２のアンテナ支持金具３１Ａと螺旋状アンテナ４の上端に接続された金属金具５１によつても挟持される。これにより第２の周波数帯を共振周波数とする螺旋状アンテナ４は引出時ストツパ５２を介して上端と下端が短絡されるためアンテナ長が変化し、共振周波数が第２の周波数帯から外れる。従つて螺旋状アンテナ４は第２の周波数帯においてはアンテナとして作動しなくなる。
また第１の周波数帯を共振周波数とする螺旋状アンテナ３は第１のアンテナ支持金具３１、アンテナ取付金具７を順に介して給電バネ９に電気的に接続されるが、共振周波数が異なるため第２の周波数帯においてはアンテナとして作動しない。
【００９１】
一方、切換スイツチ１８を第１の周波数帯の送受信部１６に接続した場合、当該送受信部１６によつて第１の周波数帯の電気信号が励振される。このとき図９及び図１０に示すように、第１の周波数帯を共振周波数とする螺旋状アンテナ３は第１のアンテナ支持金具３１、アンテナ取付金具７を順に介して給電バネ９に電気的に接続される。これにより螺旋状アンテナ３は第１の周波数帯において回路基板１５の接地導体及びシールドケースをグランドとするヘリカルアンテナとして作動する。
このとき第２の周波数帯を共振周波数とする線状アンテナ５及び螺旋状アンテナ４は共振周波数が異なるため、アンテナとして作動しない。
【００９２】
このようにして第２の周波数帯を共振周波数とする線状アンテナ５及び螺旋状アンテナ４を設け、アンテナ引出時には線状アンテナ５がアンテナとして作動するようにし、アンテナ収納時には螺旋状アンテナ４がアンテナとして作動するようにしたことにより、アンテナ引出時には人体（主に頭部）の影響を回避して第２の周波数帯で良好なアンテナ特性を得ることができると共に、アンテナ収納時にも螺旋状アンテナ４がアンテナとして作動するため第２の周波数帯で良好なアンテナ特性を得ることができる。
また第１の周波数帯を共振周波数とする螺旋状アンテナ３を設け、当該螺旋状アンテナ３を給電バネ９に常に接続するようにしたことにより、螺旋状アンテナ３がアンテナとして作動して第１の周波数帯においても良好なアンテナ特性を得ることができる。
さらに引出時ストツパ５２を長くすることによつてアンテナ引出時には当該引出時ストツパ５２によつて螺旋状アンテナ４の上下端が短絡されるようにしたことにより、簡易な構成で螺旋状アンテナ４をアンテナとして作動させないようにできる。
【００９３】
以上の構成によれば、第２の周波数帯で作動する螺旋状アンテナ４と線状アンテナ５を設け、アンテナ引出時には線状アンテナ５がアンテナとして作動し、アンテナ収納時には螺旋状アンテナ４がアンテナとして作動するようにすると共に、第１の周波数帯で常時作動する螺旋状アンテナ３を設けるようにしたことにより、第１の周波数帯においては螺旋状アンテナ３がアンテナとして常時作動し、第２の周波数帯においては螺旋状アンテナ４又は線状アンテナ５がアンテナとして作動し、かくして簡易な構成で２つの周波数帯の電気信号を扱うことができる。かくするにつき簡易な構成で２つの周波数帯で利用し得るアンテナ装置５０を実現し得る。
またこのようなアンテナ装置５０を携帯無線機２に搭載することにより、それぞれの周波数帯だけで動作するアンテナ装置を別々に設けなくても携帯無線機２でそれぞれの周波数帯の電気信号を扱うことができると共に、アンテナ装置を別々に設けない分、携帯無線機２を小型、軽量化し得る。
【００９４】
（６）他の実施例
なお上述の第１実施例においては、線状アンテナ５が単に収納される場合について述べたが、本発明はこれに限らず、図１１に示すように、アンテナ収納時に線状アンテナ５がグランドに短絡されるようにしても良い。すなわちこのアンテナ装置６０においては、線状アンテナ５の下端部に断面ほぼ十字状の引出時ストツパ６１が設けられており、線状アンテナ５を収納したときには当該引出時ストツパ６１の下端部がグランド接続金具６２に挟持されるようになされている。このグランド接続金具６２はグランド接続バネ６３を介して回路基板１５の接地導体に接続されており、引出時ストツパ６１を挟持したとき、当該引出時ストツパ６１をグランドに短絡するようになされている。これによりこのアンテナ装置６０においては、アンテナ収納時、引出時ストツパ６１、グランド接続金具６２、グランド接続バネ６３を介して線状アンテナ５がグランドに短絡されるようになされている。このようにしてアンテナ収納時に線状アンテナ５がグランドに短絡されるようにすることにより、このアンテナ装置６０では、線状アンテナ５がオープンスタブとして作用しなくなり、螺旋状アンテナ４の整合状態を乱す等といつた悪影響を回避し得る。
【００９５】
また上述の実施例においては、給電バネ９、アンテナ取付金具７、アンテナ支持金具８、３１、３１Ａ、４１、４２、アンテナ接続金具１２、４３、引出時ストツパ１４、５２を金属材料によつて構成した場合について述べたが、本発明はこれに限らず、これらの部材を所定の導電性材料によつて形成するようにして導電性を有するようにしても上述の場合と同様の効果を得ることができる。
【００９６】
また上述の実施例においては、アンテナ装置１、２０、３０、４０、５０に対して送受信部１６、１７を接続するようにした場合について述べたが、本発明はこれに限らず、これらのアンテナ装置１、２０、３０、４０、５０を送信専用又は受信専用として使用する場合には送信部又は受信部のみが接続されるようにしても良い。
【００９７】
また上述の実施例においては、携帯無線機２の筐体６を非金属製材料によつて形成した場合について述べたが、本発明はこれに限らず、携帯無線機２の筐体６を金属製材料によつて形成するようにしても良い。但し、その場合には、アンテナ取付金具７が金属製の筐体６に対して直接導通しないようにスペーサ等を設けるようにすれば良い。
【００９８】
また上述の実施例においては、線状アンテナ５が単に直線状の導体によつて形成されている場合について述べたが、本発明はこれに限らず、直線状の導体を伸縮自在に多段結合した部材によつて線状アンテナが形成されるようにしても良い。またこれに限らず、線状アンテナを弾性を有する導体で形成したり、ばね材を密巻にした導体で形成したり、あるいは小さい径で螺旋状にした導体で形成したりしてアンテナ折損を防止するようにしても良い。
【００９９】
また上述の実施例においては、アンテナ支持金具８、３１、４１をアンテナ取付金具７にねじ込みによつて取り付けた場合について述べたが、本発明はこれに限らず、かしめ等のその他の手法を用いて取り付けるようにしても良い。
【０１００】
また上述の実施例においては、線状アンテナ５に引出時ストツパ１４、５２をねじ込み又はかしめによつて取り付けた場合について述べたが、本発明はこれに限らず、一体成形する等、その他の手法を用いて線状アンテナに引出時ストツパを取り付けるようにしても良い。
【０１０１】
また上述の実施例においては、第１の周波数帯を 1.9〔GHz 〕帯とし、第２の周波数帯を 800〔MHz 〕帯とした場合について述べたが、本発明はこれに限らず、第１及び第２の周波数帯をその他の周波数帯に設定しても良い。但し、螺旋状アンテナ３のみがアンテナとして作動する第１の周波数帯を第２の周波数帯に対して高い周波数帯域に設定することが望ましい。
【０１０２】
【発明の効果】
上述のように本発明によれば、第１の周波数帯で共振する螺旋状の第１のアンテナと、第１のアンテナの内部を螺旋の中心軸方向に沿つて摺動し、かつ第２の周波数帯で共振する線状の第２のアンテナと、第２のアンテナの上端に接続され、かつ第２の周波数帯で共振する螺旋状の第３のアンテナと、第１のアンテナの下端に接続された給電点に対して、第１の周波数帯で動作する第１の送受信部又は第２の周波数帯で動作する第２の送受信部を切換接続する切換接続部とをアンテナ装置に設け、給電点に第１の送受信部が接続されたときには第１のアンテナがアンテナとして作動し、給電点に第２の送受信部が接続された状態において、第２のアンテナの引出時には第２のアンテナ及び第３のアンテナが１つのアンテナとして作動し、第２のアンテナの収納時には第３のアンテナがアンテナとして作動するようにしたことにより、それぞれの周波数帯だけで動作するアンテナ装置を別々に設けなくても第１及び第２の周波数帯の電気信号を扱え、かくして簡易な構成で２つの周波数帯で利用し得るアンテナ装置及び携帯電話機を実現し得る。
【０１０３】
また本発明によれば、第１の周波数帯で共振する螺旋状の第１のアンテナと、上記第１のアンテナの上方に配置され、かつ第２の周波数帯で共振する螺旋状の第２のアンテナと、上記第１及び第２のアンテナの内部を螺旋の中心軸方向に沿つて摺動し、かつ上記第２の周波数帯で共振する線状の第３のアンテナと、第１のアンテナの下端に接続された給電点に対して、第１の周波数帯で動作する第１の送受信部又は第２の周波数帯で動作する第２の送受信部を切換接続する切換接続部とをアンテナ装置に設け、給電点に第１の送受信部が接続されたときには第１のアンテナがアンテナとして作動し、給電点に第２の送受信部が接続された状態において、第３のアンテナの収納時には第２のアンテナがアンテナとして作動し、第３のアンテナの引出時には第２のアンテナ及び第３のアンテナが１つのアンテナとして作動するようにしたことにより、それぞれの周波数帯だけで動作するアンテナ装置を別々に設けなくても第１及び第２の周波数帯の電気信号を扱え、かくして簡易な構成で２つの周波数帯で利用し得る携帯無線機を実現し得る。
【図面の簡単な説明】
【図１】第１実施例によるアンテナ装置を収納したときの各部の接続状態を示す断面図である。
【図２】第１実施例によるアンテナ装置を引き出したときの各部の接続状態を示す断面図である。
【図３】第２実施例によるアンテナ装置を収納したときの各部の接続状態を示す断面図である。
【図４】第２実施例によるアンテナ装置を引き出したときの各部の接続状態を示す断面図である。
【図５】第３実施例によるアンテナ装置を収納したときの各部の接続状態を示す断面図である。
【図６】第３実施例によるアンテナ装置を引き出したときの各部の接続状態を示す断面図である。
【図７】第４実施例によるアンテナ装置を収納したときの各部の接続状態を示す断面図である。
【図８】第４実施例によるアンテナ装置を引き出したときの各部の接続状態を示す断面図である。
【図９】第５実施例によるアンテナ装置を収納したときの各部の接続状態を示す断面図である。
【図１０】第５実施例によるアンテナ装置を引き出したときの各部の接続状態を示す断面図である。
【図１１】他の実施例によるアンテナ装置の構造説明に供する断面図である。
【符号の説明】
１、２０、３０、４０、５０、６０……アンテナ装置、２……携帯無線機、３、４……螺旋状アンテナ、５……線状アンテナ、６……筐体、７……アンテナ取付金具、８、３１、３１Ａ、４１、４２……アンテナ支持金具、９……給電バネ、１０、１１、１３、３２……アンテナカバー、１２、４３……アンテナ接続金具、１４、５２、６１……引出時ストツパ、１５……回路基板、１６、１７……送受信部、１８……切換スイツチ、２１……アンテナ接続具、３３……収納時ストツパ、５１……金属金具、６２……グランド接続金具、６３……グランド接続バネ。
【図１】
0003770423.tif 000002
【図２】
0003770423.tif 000003
【図３】
0003770423.tif 000004
【図４】
0003770423.tif 000005
【図５】
0003770423.tif 000006
【図６】
0003770423.tif 000007
【図７】
0003770423.tif 000008
【図８】
0003770423.tif 000009
【図９】
0003770423.tif 000010
【図１０】
0003770423.tif 000011
【図１１】
0003770423.tif 000012